(57)【要約】【課題】送風装置の第１の吹出口と第２の吹出口から吹き出す空気の風向を変更できる。【解決手段】吸込口６を設けた略箱形状の筐体２の天面から延び、筐体２の左右方向における一方側に配置された第１のノズル３Ａと、他方側に配置された第２のノズル３Ｂを備えている。第１のノズル３Ａは、筐体２の前面側に第１の吹出口９Ａを有し、第２のノズル３Ｂは、筐体２の前面側に第２の吹出口９Ｂを有し、高圧空気発生部４によって、吸込口６から吸い込まれた空気が、第１のノズル３Ａ内から第１の吹出口９Ａへ送風される第１の風路２０Ａと、第２のノズル３Ｂ内から第２の吹出口９Ｂへ送風される第２の風路とを備えている。第１のノズル３Ａと第２のノズル３Ｂの上部と、第１の風路２０Ａ内と、第２の風路内とに、第１の吹出口９Ａと第２の吹出口９Ｂとから吹き出す空気の風向を上下方向に変更する風向変更ユニット５を設けた送風装置を得られる。【選択図】図４
2020051297.tif 000002
【特許請求の範囲】
【請求項１】
吸込口を設けた略箱形状の筐体と、
前記筐体の天面から延び、前記筐体の左右方向における一方側に配置された第１のノズルと、
前記筐体の天面から延び、前記筐体の左右方向における他方側に配置された第２のノズルと、
前記筐体内に設けた高圧空気発生部とを備え、
前記第１のノズルは、前記筐体の前後方向における一方側に第１の吹出口を有し、
前記第２のノズルは、前記筐体の前後方向における一方側に第２の吹出口を有し、
前記高圧空気発生部によって、前記吸込口から吸い込まれた空気が、前記第１のノズル内から前記第１の吹出口へ送風される第１の風路と、
前記高圧空気発生部によって、前記吸込口から吸い込まれた空気が、前記第２のノズル内から前記第２の吹出口へ送風される第２の風路とを備え、
前記第１のノズルと前記第２のノズルの上部と、前記第１の風路内と、前記第２の風路内とに、第１の吹出口と第２の吹出口とから吹き出す空気の風向を上下方向に変更する風向変更ユニットを設けたことを特徴とする送風装置。
【請求項２】
前記風向変更ユニットは、
前記第１の吹出口と前記第２の吹出口に上下方向に並び、上下方向へ回動自在に配置された複数のルーバ部と、
上下方向に隣り合った前記ルーバ部を回動自在に連結する複数の連結棒部と、
複数の前記連結棒部を上下方向へ移動させることによって複数の前記ルーバ部を上下方向へ回動させるクランクシャフト部とを備えていることを特徴とする請求項１に記載の送風装置。
【請求項３】
前記第１のノズルと前記第２のノズルの上部には、前記第１の風路と前記第２の風路とを連通する連通路を設け、
前記連通路内に、前記風向変更ユニットの一部を配置したことを特徴とする請求項１または２に記載の送風装置。
【請求項４】
前記第１のノズルと前記第２のノズルの上部には、前記第１の風路と前記第２の風路とを連通する連通路を設け、
前記クランクシャフト部は、前記連通路内に配置したことを特徴とする請求項２に記載の送風装置。
【請求項５】
複数の前記ルーバ部は、前記筐体の前後方向における背面側から前面側に向かうにつれて下方に傾斜し、上部の前記ルーバ部から下部の前記ルーバ部に向かうに従って前記傾斜が徐々大きくなることを特徴とする請求項３または４に記載の送風装置。
【請求項６】
複数の前記連結棒部が傾くことを抑制する傾き防止接続部を設け、
前記傾き防止接続部は、
前記ルーバ部に回動自在に設けた傾き防止棒部分と、
前記傾き防止棒部分を上下方向に回動自在に支持する支持部分とを備えたことを特徴とする請求項３から５のいずれかに記載の送風装置。
【請求項７】
前記傾き防止棒部分は、第１の傾き防止棒部分と第２の傾き防止棒部分とを有し、
前記支持部分は、第１の支持部分と第２の支持部分と有し、
前記第１の傾き防止棒部分の一方側は、前記第１の吹出口の最も下方に配置された前記ルーバ部に回動自在に設けられ、前記第１の傾き防止棒部分の他方側は、前記第１の支持部分に上下方向に回動自在に支持され、
前記第２の傾き防止棒部分の一方側は、前記第２の吹出口の最も下方に配置された前記ルーバ部に回動自在に設けられ、前記第２の傾き防止棒部分の他方側は、前記第２の支持部分に上下方向に回動自在に支持されることを特徴とする請求項６に記載の送風装置。
【発明の詳細な説明】
【技術分野】
【０００１】
本発明は、送風装置に関するものである。
【背景技術】
【０００２】
従来、この種の送風装置においては、吸込口を設けた略箱形状の筐体と、筐体の天面から延び、第１の吹出口を有する第１のノズルと、筐体の天面から延び、第２の吹出口を有する第２のノズルと、筐体内に設けた高圧空気発生部とを有していた。高圧空気発生部は、スクロール形状のケーシングと、ケーシングに固定されたモータと、モータによって回転する羽根車とを有していた。ケーシングは、側面に給気口を有し、天面には吐出口を有し、給気口は、筐体の背面に対向していた。高圧空気発生部によって、吸込口から吸い込まれた空気は、第１のノズル内を介して、第１の吹出口と、第２のノズル内を介して、第２の吹出口とへ送風される構成であった。
【先行技術文献】
【特許文献】
【０００３】
【特許文献１】特開２０１７−１１５６２９号公報
【発明の概要】
【発明が解決しようとする課題】
【０００４】
このような従来の送風装置においては、第１の吹出口と第２の吹出口から吹き出す空気の風向が一定であり、足元や天井付近への送風ができなかった。
【０００５】
そこで本発明は、上記従来の課題を解決するものであり、第１の吹出口と第２の吹出口から吹き出す空気の風向を変更できる送風装置を提供することを目的とする。
【課題を解決するための手段】
【０００６】
そして、この目的を達成するために、本発明の一態様に係る送風装置は、吸込口を設けた略箱形状の筐体と、前記筐体の天面から延び、前記筐体の左右方向における一方側に配置された第１のノズルと、前記筐体の天面から延び、前記筐体の左右方向における他方側に配置された第２のノズルと、前記筐体内に設けた高圧空気発生部とを備え、前記第１のノズルは、前記筐体の前後方向における一方側に第１の吹出口を有し、前記第２のノズルは、前記筐体の前後方向における一方側に第２の吹出口を有し、前記高圧空気発生部によって、前記吸込口から吸い込まれた空気が、前記第１のノズル内から前記第１の吹出口へ送風される第１の風路と、前記高圧空気発生部によって、前記吸込口から吸い込まれた空気が、前記第２のノズル内から前記第２の吹出口へ送風される第２の風路とを備え、前記第１のノズルと前記第２のノズルの上部と、前記第１の風路内と、前記第２の風路内とに、第１の吹出口と第２の吹出口とから吹き出す空気の風向を上下方向に変更する風向変更ユニットを設けたことを特徴としたものであり、これにより所期の目的を達成するものである。
【発明の効果】
【０００７】
本発明によれば、第１の吹出口と第２の吹出口から吹き出す空気の風向を変更できる送風装置を得ることができる。
【図面の簡単な説明】
【０００８】
【図１】本発明の実施の形態１の送風装置の前面側から見た斜視図
【図２】同送風装置の背面側から見た斜視図
【図３】同送風装置のノズルと筐体の内部を示す図
【図４】同送風装置の断面図
【図５】同送風装置の風向変更ユニットを示す図
【図６】同送風装置の風向変更ユニットを示す図
【図７】同送風装置の断面図
【図８】同送風装置の断面図
【発明を実施するための形態】
【０００９】
以下、本発明の実施の形態について図面を参照しながら説明する。
【００１０】
（実施の形態１）
図１は、送風装置の斜視図であり、送風装置の前面側から見た図である。図２は、送風装置の斜視図であり、送風装置の背面側から見た図である。図３は、送風装置のノズルと筐体の内部を示す図であり、送風装置の背面側から見た図である。図４は、送風装置の断面図であり、送風装置の側面側から見た図である。
【００１１】
図１、図２、図３、図４に示すように、送風装置１は、筐体２と、第１のノズル３Ａと、第２のノズル３Ｂと、第３のノズル３Ｃと、第４のノズル３Ｄと、高圧空気発生部４と、風向変更ユニット５とを備えている。
【００１２】
筐体２は、略箱状であり、筐体２における背面側に、四角形状の吸込口６を有している。筐体２の天面からは、筒形状の第１のノズル３Ａと第２のノズル３Ｂと第３のノズル３Ｃと第４のノズル３Ｄが上方へ延びている。
【００１３】
第１のノズル３Ａと第２のノズル３Ｂと第３のノズル３Ｃと第４のノズル３Ｄは、筐体の左右方向における一方側（図１では、筐体における前面側から見て左側）から筐体の左右方向における他方側（図１では、筐体における前面側から見て右側）に順次配置されている。
【００１４】
隣り合った第１のノズル３Ａと第２のノズル３Ｂ、第２のノズル３Ｂと第３のノズル３Ｃ、第３のノズル３Ｃと第４のノズル３Ｄとの間には、所定の距離を有している。第１のノズル３Ａの上端部と、第２のノズル３Ｂの上端部と、第３のノズル３Ｃの上端部と、第４のノズル３Ｄの上端部は、連結部７によって、連結されている。
【００１５】
送風装置１は、第１の貫通路８Ａと、第２の貫通路８Ｂと、第３の貫通路８Ｃとを有している。第１の貫通路８Ａは、連結部７と、第１のノズル３Ａと、第２のノズル３Ｂと、筐体２とに囲まれた空間である。第２の貫通路８Ｂは、第２のノズル３Ｂと、第３のノズル３Ｃと、筐体２とに囲まれた空間である。第３の貫通路８Ｃは、第３のノズル３Ｃと、第４のノズル３Ｄと、筐体２とに囲まれた空間である。なお、筐体２と、第１のノズル３Ａと、第２のノズル３Ｂと、第３のノズル３Ｃと、第４のノズル３Ｄと、連結部７とは、一体で形成している。筐体２内の空間は、第１のノズル３Ａ内の空間と、第２のノズル３Ｂ内の空間と、第３のノズル３Ｃ内の空間と、第４のノズル３Ｄ内の空間とに連通している。
【００１６】
第１のノズル３Ａは、筐体２における前面側に、第１の吹出口９Ａを有している。同様に、第２のノズル３Ｂは筐体２における前面側に第２の吹出口９Ｂを、第２のノズル３Ｂは筐体２における前面側に第３の吹出口９Ｃを、第４のノズル３Ｄは筐体２における前面側に第４の吹出口９Ｄを有している。第１の吹出口９Ａと第２の吹出口９Ｂと第３の吹出口９Ｃと第４の吹出口９Ｄとは、縦長四角形状の開口である。なお、第１のノズル３Ａの前面と、第２のノズル３Ｂの前面と、第３のノズル３Ｃの前面と、第４のノズル３Ｄの前面と、筐体２の前面とは、同一面に配置されている。
【００１７】
高圧空気発生部４は、ケーシング１０と、モータ１１と、羽根車１２とを備えている。
【００１８】
ケーシング１０は、スクロール形状であり、側面には給気口１３を有し、天面には吐出口１４を有している。
【００１９】
モータ１１は、ケーシング１０におけるモータ面１６に固定され、モータ１１からケーシング１０内へ水平方向に回転軸（図示せず）が延びている。回転軸には、羽根車１２が固定されている。モータ１１によって羽根車１２が回転すると、給気口１３から空気が吸い込まれ、吐出口１４から吸い込まれた空気が吹き出す。
【００２０】
送風装置１は、第１の風路２０Ａと、第２の風路（図示せず）と、第３の風路（図示せず）と、第４の風路（図示せず）とを備えている。
【００２１】
第１の風路２０Ａは、高圧空気発生部４によって、筐体２の吸込口６から吸い込まれた空気が、高圧空気発生部４、第１のノズル３Ａ内を順次介して、第１の吹出口９Ａへ送風される風路である。
【００２２】
第２の風路は、高圧空気発生部４によって、筐体２の吸込口６から吸い込まれた空気が、高圧空気発生部４、第２のノズル３Ｂ内を順次介して、第２の吹出口９Ｂへ送風される風路である。
【００２３】
第３の風路は、高圧空気発生部４によって、筐体２の吸込口６から吸い込まれた空気が、高圧空気発生部４、第３のノズル３Ｃ内を順次介して、第３の吹出口９Ｃへ送風される風路である。
【００２４】
第４の風路は、高圧空気発生部４によって、筐体２の吸込口６から吸い込まれた空気が、高圧空気発生部４、第４のノズル３Ｄ内を順次介して、第４の吹出口９Ｄへ送風される風路である。
【００２５】
このように、高圧空気発生部４によって、筐体２の吸込口６から吸い込まれた空気が、第１の吹出口９Ａと、第２の吹出口９Ｂと、第３の吹出口９Ｃと、第４の吹出口９Ｄとから空気が吹き出すことによって、第１の貫通路８Ａと、第２の貫通路８Ｂと、第３の貫通路８Ｃとから空気が誘引される。これらの誘引された空気が、第１の吹出口９Ａと第２の吹出口９Ｂと第３の吹出口９Ｃと第４の吹出口９Ｄとから吹き出す空気と共に、前方へ送風される。
【００２６】
図５は、送風装置の風向変更ユニットを示す図であり、送風装置の背面側から見た図である。図６は、送風装置の風向変更ユニットを示す図であり、送風装置の背面側の下方から見た図である。
【００２７】
図１、図４、図５、図６に示すように、風向変更ユニット５は、第１の吹出口９Ａと、第２の吹出口９Ｂと、第３の吹出口９Ｃと、第４の吹出口９Ｄとから吹き出す空気の風向を上下方向に変更する機構である。風向変更ユニット５は、複数のルーバ部３０と、複数の連結棒部３１と、クランクシャフト部３２とを備えている。
【００２８】
ルーバ部３０は、第１の吹出口９Ａと、第２の吹出口９Ｂと、第３の吹出口９Ｃと、第４の吹出口９Ｄとに、上下方向に多数並ぶように配置されている。ルーバ部３０は、風向板部分３３と、軸部分３４と、ルーバ接続部分３５とを有している。
【００２９】
風向板部分３３は、送風装置１における前後方向に延びた板形状であり、風向板部分３３から送風装置１における左右方向に延びた軸部分３４を有している。板形状の風向板部分３３の面は、軸部分３４の軸方向に平行な面であり、上面と下面とを有している。
【００３０】
軸部分３４は、第１の吹出口９Ａと、第２の吹出口９Ｂと、第３の吹出口９Ｃと、第４の吹出口９Ｄに設けられた軸受け部分３７に回動自在に嵌る。風向板部分３３は、軸部分３４と軸受け部分３７とによって、軸部分３４を回動中心として、上下方向に回動可能に設けられている。
【００３１】
ルーバ接続部分３５は、風向板部分３３の送風装置１における後方側に配置され、細長板形状である連結棒部３１と回動自在に接続される。
【００３２】
連結棒部３１は、上下方向に並んだルーバ部３０のルーバ接続部分３５を回動自在に連結する。連結棒部３１は、棒状の棒部分３８と、棒部分３８に配置された多数の連結部分３９とを備えている。連結部分３９は、上下方向に並んだ多数のルーバ接続部分３５に、回動自在に接続され、上下方向に並んだルーバ部３０を連結する。
【００３３】
クランクシャフト部３２は、軸部分４０と、複数のアーム部分４１と、複数のアーム接続部分４２とを備えている。
【００３４】
軸部分４０は、送風装置における左右方向に延びた棒形状であり、連結部７内に回動自在に装着されている。軸部分４０の一方側端部には、操作部分４３を備え、操作部分４３は、連結部７から突出している。使用者は、操作部分４３を摘み、操作部分４３を回動すると、軸部分４０も回動する。
【００３５】
アーム部分４１は、板形状であり、軸部分４０から送風装置における背面側へ延びている。アーム部分４１の先端には、アーム接続部分４２を有している。板形状のアーム部分４１の面は、送風装置における左右方向に配置されている。
【００３６】
アーム接続部分４２は、連結棒部３１の連結部分３９と回動自在に接続される。アーム接続部分４２には、連結棒部３１の上端の連結部分３９が回動自在に接続され、この連結棒部３１の上端の１つ下方である上端から２番目の連結部分３９は、第１の吹出口９Ａ、または第２の吹出口９Ｂ、または第３の吹出口９Ｃ、または第４の吹出口９Ｄの最も上方に配置されたルーバ部３０のルーバ接続部分３５に回動自在に接続される。
【００３７】
連結棒部３１の上端から２番目の連結棒部の下方である３番目の連結部分には、第１の吹出口９Ａ、または第２の吹出口９Ｂ、または第３の吹出口９Ｃ、または第４の吹出口９Ｄの最も上方から２番目に配置されたルーバ部３０のルーバ接続部分３５が、回動自在に接続される。
【００３８】
このような構成を繰り返すことによって、第１の吹出口９Ａ、または第２の吹出口９Ｂ、または第３の吹出口９Ｃ、または第４の吹出口９Ｄの最も上方に配置されたルーバ部３０から順番に、最も下方に配置されたルーバ部３０までが、連結棒部３１によって回動自在に接続される。
【００３９】
図７は、送風装置の断面図で、送風装置の側面側から見た図であり、風向変更ユニット５は斜め下方に吹き出す状態である。図８は、送風装置の断面図で、送風装置の側面側から見た図であり、風向変更ユニット５は斜め上方に吹き出す状態である。
【００４０】
図１、図７、図８に示すように、以上の風向変更ユニット５の構成において、操作部分４３を摘み、操作部分４３を回動し、複数のアーム部分４１が上方に移動すると、複数の連結棒部３１が、上方に移動する。これにより、多数の風向板部分３３の送風装置１における後方側が上方に移動し、風向板部分３３に沿って流れる空気は、第１の吹出口９Ａと第２の吹出口９Ｂと第３の吹出口９Ｃと第４の吹出口９Ｄとから斜め下方に吹き出す（図７参照）。
【００４１】
また、操作部分４３を摘み、操作部分４３を回動し、複数のアーム部分４１が下方に移動すると、複数の連結棒部３１の送風装置１における後方側が下方に移動し、風向板部分３３に沿って流れる空気は、第１の吹出口９Ａと第２の吹出口９Ｂと第３の吹出口９Ｃと第４の吹出口９Ｄとから斜め上方に吹き出す（図８参照）。
【００４２】
このように、第１のノズル３Ａと第２のノズル３Ｂの上部と、第１の風路２０Ａ内と、第２の風路内とに、第１の吹出口９Ａと第２の吹出口９Ｂとから吹き出す空気の風向を上下方向に変更する風向変更ユニット５を設けたので、第１のノズル３Ａと第２のノズル３Ｂとの間から誘引される誘引流を減らすことなく、上下方向に容易に風向を変更できる。
【００４３】
同様に、第２のノズル３Ｂと第３のノズル３Ｃの上部と、第２の風路内と、第３の風路内とに、第２の吹出口９Ｂと第３の吹出口９Ｃとから吹き出す空気の風向を上下方向に変更する風向変更ユニット５を設けたので、第２のノズル３Ｂと第３のノズル３Ｃとの間から誘引される誘引流を減らすことなく、上下方向に容易に風向を変更できる。
【００４４】
同様に、第３のノズル３Ｃと第４のノズル３Ｄの上部と、第３の風路内と、第４の風路内とに、第３の吹出口９Ｃと第４の吹出口９Ｄとから吹き出す空気の風向を上下方向に変更する風向変更ユニット５を設けたので、第３のノズル３Ｃと第４のノズル３Ｄとの間から誘引される誘引流を減らすことなく、上下方向に容易に風向を変更できる。
【００４５】
また、第１のノズル３Ａと第２のノズル３Ｂと第３のノズル３Ｃと第４のノズル３Ｄの上部には、第１の風路２０Ａと第２の風路と第３の風路と第４の風路とを連通する連通路４４を設けている。この連通路４４内に、風向変更ユニット５の一部を配置した。具体的には、クランクシャフト部３２を、連通路４４内に配置した。
【００４６】
このように、第１のノズル３Ａと第２のノズル３Ｂと第３のノズル３Ｃと第４のノズル３Ｄの上部において、第１の風路２０Ａと第２の風路と第３の風路と第４の風路とを連通する連通路４４を設けている。具体的には、第１のノズル３Ａの上端部と、第２のノズル３Ｂの上端部と、第３のノズル３Ｃの上端部と、第４のノズル３Ｄの上端部とは、連結部７によって、連結され、この連結部７内には、第１の風路２０Ａと第２の風路と第３の風路と第４の風路とを連通する連通路４４を有している。これにより、第１のノズル３Ａと、第２のノズル３Ｂと、第３のノズル３Ｃと、第４のノズル３Ｄとのノズル内の内圧が均一化される。更に、第１の吹出口９Ａと第２の吹出口９Ｂと第３の吹出口９Ｃと第４の吹出口９Ｄより風下である連通路４４内に、風向変更ユニット５の一部であるクランクシャフト部３２を配置したので、クランクシャフト部３２が風路抵抗になることを抑制できる。また、クランクシャフト部３２の軸部分４０の一方側端部には、操作部分４３を有しているので、操作が容易である。
【００４７】
また、風向変更ユニット５は、第１の吹出口９Ａと第２の吹出口９Ｂと第３の吹出口９Ｃと第４の吹出口９Ｄに上下方向に並び、上下方向へ回動自在に配置された複数のルーバ部３０と、上下方向に並んだルーバ部３０を回動自在に連結する複数の連結棒部３１と、複数の連結棒部３１を上下方向へ移動させることによって複数のルーバ部３０を上下方向へ回動させるクランクシャフト部３２とを備えている。
【００４８】
これにより、クランクシャフト部３２を回動させると、複数のルーバ部３０が上下方向へ回動して、上下方向に容易に風向を変更できる。
【００４９】
また、複数のルーバ部３０は、筐体２の前後方向における背面側（図７では、右側）から前面側（図７では、左側）に向かうにつれて下方に傾斜し、上部のルーバ部３０から下部のルーバ部３０に向かうに従って傾斜が徐々大きくなる。これにより、上下方向に幅広く風を送ることができるため、自然に近い面の風を得ることができる。
【００５０】
また、複数の連結棒部３１が傾くことを抑制する傾き防止接続部４５を設けている。傾き防止接続部４５は、傾き防止棒部分４６と、支持部分４７とを備えている。
【００５１】
傾き防止棒部分４６は、連結棒部３１の下端から延びた棒状の棒部分４８と、棒部分の先端に配置された連結部分４９とを備えている。連結部分４９は、支持部分４７に回動自在に接続されている。支持部分４７は、傾き防止棒部分４６の連結部分４９を上下方向に回動自在に支持する。これにより、複数の連結棒部３１が傾くことを抑制することができ、引っ掛かりの無いスムーズな動きになり、使い勝手が良くなる。
【００５２】
具体的には、傾き防止棒部分４６は、第１の傾き防止棒部分４６Ａと第２の傾き防止棒部分４６Ｂとを有している。支持部分４７は、第１の支持部分４７Ａと第２の支持部分４７Ｂと有している。
【００５３】
第１の傾き防止棒部分４６Ａは、第１の吹出口に配置された第１の連結棒部３１Ａの第１の棒部分３８Ａの下端から延び、第１の傾き防止棒部分４６Ａの先端が、第１の支持部分４７Ａに上下方向に回動自在に支持される。第１の傾き防止棒部分と、クランクシャフト部３２の第１のアーム部分４１Ａとは、２つの平行な平面上で回動するように配置されている。
【００５４】
同様に、第２の傾き防止棒部分４６Ｂは、第２の吹出口に配置された第２の連結棒部３１Ｂの第２の棒部分３８Ｂの下端から延び、第２の傾き防止棒部分４６Ｂの先端が、第２の支持部分４７Ｂに上下方向に回動自在に支持される。第２の傾き防止棒部分と、クランクシャフト部３２の第２のアーム部分４１Ｂとは、２つの平行な平面上で回動するように配置されている。
【００５５】
同様に、第３の傾き防止棒部分４６Ｃは、第３の吹出口に配置された第３の連結棒部３１Ｃの第３の棒部分３８Ｃの下端から延び、第３の傾き防止棒部分４６Ｃの先端が、第３の支持部分４７Ｃに上下方向に回動自在に支持される。第３の傾き防止棒部分と、クランクシャフト部３２の第３のアーム部分４１Ｃとは、２つの平行な平面上で回動するように配置されている。
【００５６】
同様に、第４の傾き防止棒部分４６Ｄは、第４の吹出口に配置された第４の連結棒部３１Ｄの第４の棒部分３８Ｄの下端から延び、第４の傾き防止棒部分４６Ｄの先端が、第４の支持部分４７Ｄに上下方向に回動自在に支持される。第４の傾き防止棒部分と、クランクシャフト部３２の第４のアーム部分４１Ｄとは、２つの平行な平面上で回動するように配置されている。
【００５７】
これにより、複数の連結棒部３１が平面上で回動するので、複数の連結棒部が、筐体２の左右方向に傾くことを抑制することができ、引っ掛かりの無いスムーズな動きになり、使い勝手が良くなる。
【産業上の利用可能性】
【００５８】
本発明に係る送風装置は、家庭用や事務所用などに使用される送風装置等として有用である。
【符号の説明】
【００５９】
１    送風装置
２    筐体
３Ａ    第１のノズル
３Ｂ    第２のノズル
３Ｃ    第３のノズル
３Ｄ    第４のノズル
４    高圧空気発生部
５    風向変更ユニット
６    吸込口
７    連結部
８Ａ    第１の貫通路
８Ｂ    第２の貫通路
８Ｃ    第３の貫通路
９Ａ    第１の吹出口
９Ｂ    第２の吹出口
９Ｃ    第３の吹出口
９Ｄ    第４の吹出口
１０    ケーシング
１１    モータ
１２    羽根車
１３    給気口
１４    吐出口
１６    モータ面
２０Ａ    第１の風路
３０    ルーバ部
３１    連結棒部
３１Ａ    第１の連結棒部
３１Ｂ    第２の連結棒部
３１Ｃ    第３の連結棒部
３１Ｄ    第４の連結棒部
３２    クランクシャフト部
３３    風向板部分
３４    軸部分
３５    ルーバ接続部分
３７    軸受け部分
３８    棒部分
３８Ａ    第１の棒部分
３８Ｂ    第２の棒部分
３８Ｃ    第３の棒部分
３８Ｄ    第４の棒部分
３９    連結部分
４０    軸部分
４１    アーム部分
４１Ａ    第１のアーム部分
４１Ｂ    第２のアーム部分
４１Ｃ    第３のアーム部分
４１Ｄ    第４のアーム部分
４２    アーム接続部分
４３    操作部分
４４    連通路
４５    傾き防止接続部
４６    傾き防止棒部分
４７    支持部分
４８    棒部分
４９    連結部分
４６Ａ    第１の傾き防止棒部分
４６Ｂ    第２の傾き防止棒部分
４６Ｃ    第３の傾き防止棒部分
４７Ａ    第１の支持部分
４７Ｂ    第２の支持部分
４７Ｃ    第３の支持部分
４６Ｄ    第４の傾き防止棒部分
４７Ｄ    第４の支持部分
【図１】
2020051297.tif 000003
【図２】
2020051297.tif 000004
【図３】
2020051297.tif 000005
【図４】
2020051297.tif 000006
【図５】
2020051297.tif 000007
【図６】
2020051297.tif 000008
【図７】
2020051297.tif 000009
【図８】
2020051297.tif 000010